【手続補正書】
【提出日】平成30年10月3日(2018.10.3)
【手続補正１】
【補正対象書類名】特許請求の範囲
【補正対象項目名】全文
【補正方法】変更
【補正の内容】
【特許請求の範囲】
【請求項１】
液体内の物体を偏らせるためのマイクロ流体装置であって、
物体を含む液体をその上に供給するための基板と、
少なくとも１つのマイクロバブル発生要素を含むマイクロバブル発生器と、を含み、
前記マイクロバブル発生器は、前記基板の表面に配置され、前記物体を含む液体が前記基板上に供給されると、前記物体を含む液体と直接接触し、
前記少なくとも１つのマイクロバブル発生要素は、複数のマイクロバブルを発生させることにより、前記物体を含む液体内の単一の物体を偏らせるように形成され、
前記少なくとも１つのマイクロバブル発生要素は、第１の一連の接続されたマイクロ構造体を含み、
接続されたマイクロ構造体のそれぞれは、前記マイクロバブル発生器が起動すると、前記物体を含む液体内にマイクロバブルを発生させるように形成された、マイクロ流体装置。
【請求項２】
前記マイクロバブル発生器は発熱体であり、
前記少なくとも１つのマイクロバブル発生要素は、少なくとも１つのマイクロヒータを含み、
前記少なくとも１つのマイクロヒータは、前記少なくとも１つのマイクロヒータに電流が流れると、少なくとも２つの接続されたマイクロ構造体が同時に加熱されるように形状された、請求項１に記載のマイクロ流体装置。
【請求項３】
前記少なくとも１つのマイクロヒータは、円形のミアンダ形状の構造体であり、
前記少なくとも２つの接続されたマイクロ構造体は、並列に電気的に接続されている、請求項２に記載のマイクロ流体装置。
【請求項４】
前記マイクロバブル発生器は発熱体であり、
前記少なくとも１つのマイクロバブル発生要素は、少なくとも１つのマイクロヒータを含み、
前記少なくとも１つのマイクロヒータは、前記第１の一連の接続されたマイクロ構造体と並列接続した第２の一連の接続されたマイクロ構造体をさらに含み、
前記少なくとも１つのマイクロヒータは、前記少なくとも１つのマイクロヒータに電流が流れると、異なる一連の接続されたマイクロ構造体のうちの少なくとも２つのマイクロ構造体が同時に加熱されるように形状された、請求項１に記載のマイクロ流体装置。
【請求項５】
前記マイクロバブル発生器は、少なくとも１組の電極を含む電気分解ユニットであり、
前記電極は、前記電極に電圧が印可されると、少なくとも２つのマイクロ構造体がマイクロバブルを同時に発生させるように形状された、請求項１に記載のマイクロ流体装置。
【請求項６】
前記物体を含む液体が前記基板の上に供給された場合に、前記物体を含む液体と前記マイクロバブル発生器との間に配置される非導電層をさらに含み、
非導電層は、前記マイクロバブル発生器に通じる複数の空洞を含み、
前記複数の空洞のそれぞれは、対応する前記接続されたマイクロ構造体の１つと位置を合わせる、請求項１に記載のマイクロ流体装置。
【請求項７】
前記複数の空洞のうちの１つは、少なくとも１つの鋭い角を含む、請求項６に記載のマイクロ流体装置。
【請求項８】
前記基板と平行な、前記複数の空洞の１つの断面は、三角形または長方形の形状を有する、請求項６に記載のマイクロ流体装置。
【請求項９】
前記接続されたマイクロ構造体のそれぞれは、１０マイクロメートル以下の断面寸法の部分を含む、請求項１に記載のマイクロ流体装置。
【請求項１０】
前記マイクロバブル発生器は、発熱体であり、前記マイクロバブル発生器は金属層を１つだけ含む、請求項１に記載のマイクロ流体装置。
【請求項１１】
前記マイクロバブル発生器に接続された制御装置をさらに含み、前記制御装置は、マイクロバブルの発生に関連する、前記マイクロバブル発生器の少なくとも１つのパラメータを監視するよう構成される請求項１に記載のマイクロ流体装置（１００）。
【請求項１２】
前記マイクロバブル発生器は、発熱体であり、
前記少なくとも１つのマイクロバブル発生要素は、少なくとも１つのマイクロヒータであり、
前記制御装置は、前記発熱体の温度または前記発熱体の抵抗を監視するよう構成される、請求項１１に記載のマイクロ流体装置。
【請求項１３】
前記マイクロバブル発生器は、前記マイクロバブル発生器の変形を防ぐためのＳｉＣ層をさらに含む、請求項１に記載のマイクロ流体装置。
【請求項１４】
物体をソーティングするためのシステムであって、
液体内の物体を偏らせるための第１のマイクロ流体装置を含み、前記第１のマイクロ流体装置は、
物体を含む液体をその上に供給するための基板と、
少なくとも１つのマイクロバブル発生要素を含むマイクロバブル発生器と、を含み、
前記マイクロバブル発生器は、前記基板の表面に配置され、前記物体を含む液体が前記基板上に供給されると、前記物体を含む液体と直接接触し、
前記少なくとも１つのマイクロバブル発生要素は、複数のマイクロバブルを発生させることにより、前記物体を含む液体内の単一の物体を偏らせるように形成され、
前記少なくとも１つのマイクロバブル発生要素は、第１の一連の接続されたマイクロ構造体を含み、
接続されたマイクロ構造体のそれぞれは、前記マイクロバブル発生器が起動すると、前記物体を含む液体内にマイクロバブルを発生させるように形成され、
前記システムは、さらに、第１のマイクロ流体チャネルを含み、
前記第１のマイクロ流体装置は、マイクロバブルを発生させることにより、前記第１のマイクロ流体チャネル内を伝播する単一の物体を偏らせるように配置される、システム。
【請求項１５】
前記第１のマイクロ流体チャネルに流体接続する第２のマイクロ流体チャネルをさらに含み、
前記第１のマイクロ流体装置は、前記第２のマイクロ流体チャネル内に配置され、マイクロバブルを発生させることにより、前記第１のマイクロ流体チャネル内を伝播する単一の物体を偏らせるよう構成された、請求項１４に記載のシステム。
【請求項１６】
前記第１のマイクロ流体チャネルに流体接続する第３のマイクロ流体チャネルをさらに含み、
前記第２のマイクロ流体チャネルと前記第３のマイクロ流体チャネルが位置を合わせ、前記第１のマイクロ流体チャネルの反対側に配置され、
前記システムは、さらに第２のマイクロ流体装置を含み、
前記第１のマイクロ流体装置と前記第２のマイクロ流体装置は、前記第１のマイクロ流体チャネル内を伝播する単一の物体を偏らせるよう構成される、請求項１５に記載のシステム。
【請求項１７】
液体内の物体を偏らせるためのマイクロ流体装置を製造する方法であって、
基板を供給する工程と、
前記基板の上部に導電層を供給する工程と、
少なくとも１つのマイクロバブル発生要素を含むマイクロバブル発生器を前記導電層内にパターンニングする工程と、を含み、
前記マイクロバブル発生器をパターンニングする工程は、一連のマイクロ構造体をパターンニングする工程を含み、
前記接続されたマイクロ構造体のそれぞれは、前記マイクロバブル発生器を起動すると、マイクロバブルを発生させるように形成される、方法。
【請求項１８】
少なくとも１つのマイクロバブル発生要素を含む前記マイクロバブル発生器をパターンニングする工程は、前記少なくとも１つのマイクロバブル発生要素が起動すると、その形状により、前記少なくとも１つのマイクロバブル発生要素の少なくとも２つのマイクロ構造体が、マイクロバブルを同時に発生できるよう、前記少なくとも１つのマイクロバブル発生要素を製造する工程を含む、請求項１７に記載の方法。
【請求項１９】
少なくとも１つのマイクロバブル発生要素を含む前記マイクロバブル発生器をパターンニングする工程は、さらに、前記少なくとも１つのマイクロヒータに電流が流れると、その形状により、前記少なくとも１つのマイクロヒータの少なくとも２つのマイクロ構造体が同時に加熱されるように、少なくとも１つのマイクロヒータをパターンニングする工程を含む、請求項１８に記載の方法。
【請求項２０】
少なくとも１つのマイクロバブル発生要素を含む前記マイクロバブル発生器をパターンニングする工程は、前記電極に電圧が印可されると、その形状により、前記少なくとも１組の電極の少なくとも２つのマイクロ構造体が、電気分解を同時に生成することができるよう、少なくとも１組の電極をパターンニングする工程を含む、請求項１８に記載の方法。